(57)【要約】      （修正有）【課題】バック本体の表・裏面にＥＶＡ素材と撥水加工した樹脂材とを貼り合わせて素材を用いてエンボス加工を施すが、この場合、裏面側から外側に浮き出す様にに任意幅の突起体をつくり、その表面に印刷文字を浮き上がらせるために鮮明な文字が印刷されることになり、会社名等の宣伝が可能な文字印刷用手提げバックの提供。【解決手段】バック本体の表側及び裏側開口部に吊り手を有する手提げバックにおいて、バック本体の生地の一部にＥＶＡを用いて、文字浮きだし部を設けてある文字印刷用手提げバックである。バック生地は、表側生地としてＥＶＡを貼り合わせて用いる文字印刷用手提げバックである。【選択図】図１
0003116215.tif 000002
【実用新案登録請求の範囲】
【請求項１】
バック本体の表側及び裏側開口部に吊手を有する手提げバックにおいて、バック本体の生地の一部にＥＶＡを用いて、文字浮きだし部を設けてあることを特徴とする文字印刷用手提げバック。
【請求項２】
前記バック生地は、表側生地として樹脂製素材を、裏側生地としてＥＶＡを貼り合せて用いることを特徴とする請求項１記載の文字印刷用手提げバック。
【請求項３】
前記文字浮きだし部は、エンボス加工により表面側に浮だし部が形成されてなることを特徴とする請求項１記載の文字印刷用手提げバック。
【請求項４】
前記文字浮きだし部は、少なくとも１本以上の突起幅を有する浮きだし部であることを特徴とする請求項１及び３記載の文字印刷用手提げバック。
【考案の詳細な説明】
【技術分野】
【０００１】
本発明は手提げ用バックに関し、さらに詳しくは、バックの表裏面に文字浮きだし部を設けて会社名やＰＲ文字を容易に印刷可能とする新規な文字印刷用手提げバックに関する。
【背景技術】
【０００２】
従来の手提げ用バックは、実開平２−１３４０１９号に開示されるように、合成樹脂シートからなる袋部の上縁部を折返して折込片が形成され、これらシート上縁部と折込片との間に芯材を挟み込み乍ら、その周辺を熱溶着して移動不能に保持すると共に、これらシート上縁部と折込片と芯材とから成る手提げ部に手提げ孔を設けて開穿した手提げ用バックは市場において主流を成している。
【０００３】
またバック本体の表面に印刷物を印刷したものとして実用新案第３０９８０６５号は、手提げ孔が開穿された手提げ部を、透明な合成樹脂シート２枚よりなり、これら両シートの間に、同一形状の芯材を挟んだ上で、それらの周辺部分を一体に縫い合わせるか熱溶着により接合して保持し、この芯材の表面に商品の情報等として文字又は色彩や図面の着色等を印刷等にて表示することにより、この表示された芯材自体が汚れたり破損したりする恐れが無く、また袋部に入れた内容物全体または一部が見えないくらいにした手提げバックを開示している。
【考案の開示】
【考案が解決しようとする課題】
【０００４】
上記のように開口部を有する袋形状のバック本体部に設けた開穿部に手提げ紐を取付けた手提げバックに商品情報を印刷した芯材を挟んで用いることは公知であるが、この場合、印刷内容がバック本体に内蔵された商品と一致する場合には問題が無いが、異なる商品の場合には専用バックとしては不都合が大きかった。
【０００５】
大量な商品を販促する業界においては、同一形状の手提げ用バックであっても顧客の会社名やＰＲ文字を代えて印刷する必要があるが、顧客毎の対応をした場合には印刷費等が別途かかりコストを上げる要因となっていた。
【課題を解決するための手段】
【０００６】
本発明者は係る課題を解決するために鋭意研究したところ、ＥＶＡ（エチレンビニールアセテート、以下、ＥＶＡという）をバック本体の一部素材として用い、エンボス加工により素材表面に文字印刷ができることを見いだし、本考案に係る手提げ用バックを提供することができた。
【０００７】
すなわち本考案の第一は、バック本体の表側及び裏側開口部に吊手を有する手提げバックにおいて、バック本体の生地の一部にＥＶＡを用いて、文字浮きだし部を設けてあることを特徴とする文字印刷用手提げバックである。
【０００８】
本考案の第二は、前記バック生地は、表側生地として樹脂製素材を、裏側生地としてＥＶＡを貼り合せて用いることを特徴とする請求項１記載の文字印刷用手提げバックである。
【０００９】
本考案の第三は、前記文字浮きだし部は、エンボス加工により表面側に浮だし部が形成されてなることを特徴とする請求項１記載の文字印刷用手提げバックである。
【００１０】
本考案の第四は、前記文字浮きだし部は、少なくとも１本以上の突起幅を有する浮きだし部であることを特徴とする請求項１及び３記載の文字印刷用手提げバックである。
【考案の効果】
【００１１】
従来の手提バックに印刷物を施す場合、印刷した紙用紙を透明樹脂で被覆しなければ成らないため、コストが高くつかざるを得ないのに対し、本願考案の場合には、使用するＥＶＡに容易にエンボス加工ができるために、少ない量の依頼であってもその依頼社の会社名や好みのロゴをバックの任意の箇所に印刷できるように成っている。
【００１２】
バック本体の表・裏面にＥＶＡ素材と撥水加工した樹脂材とを貼り合せて素材を用いてエンボス加工を施すが、この場合、裏面側から外側に浮き出すように任意幅の突起体をつくり、その表面に印刷文字を浮き上がらせるために鮮明な文字が印刷されることに成り、会社名等の宣伝が可能と成っている。
【考案を実施するための最良の形態】
【００１３】
以下、図面を参照に本考案の詳細を述べるが、本考案の範囲はこれらに限定されるものではない。
【実施例１】
【００１４】
図１は、本考案の手提バックの斜視図である。本考案の手提バックは、バック本体１が表面部２、裏面部３及び側面部４から成る袋体を縫着形成し、該バック本体１の上部に手提部５を手提部用固定部６で縫着している。
【００１５】
図２は、図１におけるＡ−Ａ’断面を示す断面図であるが、本考案の手提用バックを製造する為に、先ず外側にキメの細かなポリエステル系合成繊維から成る布状の樹脂材８とＥＶＡ９とを熱接合させて上記バック本体１の表面部２（縦２９ｃｍ、横２４ｃｍ）と裏面部３（縦２９ｃｍ、横２４ｃｍ）とを形成した。
【００１６】
次いで、上記表面部２にエンボス加工を施すために予め凹凸状の印刷文字を入れてある雄・雌型のエンボスプレス器に挟み、上下２本の突起帯７，７を設けると共に、所望の印刷文字を施した。本実施例では、上部に縦幅１．５ｃｍ、横幅２４ｃｍ、厚み３ｃｍの突起帯と、下部に縦幅２．５、横幅２４ｃｍ、厚み３ｃｍの突起帯とを設けた。
【００１７】
次いで、上記表面部２と裏面部３との上端部に手提部５を取付けるために、横幅２．５ｃｍ（二つ折り）の樹脂製素材の２本の端部を前記ＥＶＡ素材の上に載置し、さらに樹脂材で上部から抑えながら逢着して、図３に示すような手提部用固定部６を形成した。
【００１８】
上記、表面部２と裏面部３とを用いて袋体とする為に、横幅１３ｃｍ、縦幅８１ｃｍの
キメの粗いポリエステル系合成繊維からなる布状樹脂材１０を用いて側面部４、底面部部１０を形成するように折曲げ、それぞれの側端部を前記表面部２及び裏面部３の端部と合わせて揃え、端留め用のポリオレフィン系合成繊維からなる布状樹脂材（図示せず）で被覆後縫着固定した。
【００１９】
なお本考案で使用できるエンボス加工装置は、上記表・裏面部に所望の印刷分を印刷可能な装置であれば、上記エンボスプレス器に限らないのは当然である。
【００２０】
また本実施例では、バック本体を形成する素材としてポリエステル系合成繊維から成る布状の素材を用いたが、この素材以外に布状を形成できるポリオレフィン系合成繊維、ポリエチレン系合成繊維、ポリアクリロニトリル系合成繊維、ポリアミド合成繊維等の繊維を用いて布状にしたものを用いることができる。
【図面の簡単な説明】
【００２１】
【図１】本考案の手提バックの斜視図である。
【図２】図１におけるＡ−Ａ’断面を示す断面図である。
【図３】手提部の部分拡大図である。
【符号の説明】
【００２２】
１・・・バック本体
２・・・表面部
３・・・裏面部
４・・・側面部
５・・・手提部
６・・・手提部用固定部
７・・・突起帯
８・・・樹脂材
９・・・ＥＶＡ
１０・・底面部
【図１】
0003116215.tif 000003
【図２】
0003116215.tif 000004
【図３】
0003116215.tif 000005